(57)【要約】 【課題】外観上の美観と好ましいディスプレー効果を具える祈願用カード及び照明手段を具えたその支持具を提供する。【解決手段】少なくとも１以上の位置決め溝が形成され、かつ該位置決め溝内に第１連結部材が設けられたカード支持本体と、制御回路モジュールと、該制御モジュールに接続する複数のＬＥＤとを含んでなる照明ベース座と、及びカード本体と第２連結部材とによってなる祈願用カードと、を含んでなり、該第１連結部材と該第２連結部材とが、互いに吸引する磁石セットであって、該第１連結部材と該第２連結部材とを連結して位置決めする。【選択図】図２
2018068429.tif 000002
【特許請求の範囲】
【請求項１】
少なくとも１以上の位置決め溝が形成され、かつ該位置決め溝内に第１連結部材が設けられたカード支持本体と、
制御回路モジュールと、該制御モジュールに接続する複数のＬＥＤとを含んでなる照明ベース座と、
カード本体と第２連結部材とによってなる祈願用カードと、を含んでなり、
該第１連結部材と該第２連結部材とが、互いに吸引する磁石セットであって、
該第１連結部材と該第２連結部材とを連結して位置決めする
ことを特徴とする祈願用カード及びその支持具。
【請求項２】
前記複数のＬＥＤが該位置決め溝内に設けられる
ことを特徴とする請求項１に記載の祈願用カード及びその支持具。
【請求項３】
前記第２連結部材が、該カード本体の少なくとも一方の側に連結する
ことを特徴とする請求項１に記載の祈願用カード及びその支持具。
【請求項４】
前記第２連結部材が、該カード本体に埋め込まれる
ことを特徴とする請求項１に記載の祈願用カード及びその支持具。
【請求項５】
前記第１連結部材と第２連結部材との磁石セットが、永久磁石と強磁性を具えた金属との組み合わせである
ことを特徴とする請求項１に記載の祈願用カード及びその支持具。
【請求項６】
前記第１連結部材と第２連結部材との磁石セットが、異なる磁性の二つの永久磁石の組み合わせである
ことを特徴とする請求項１に記載の祈願用カード及びその支持具。
【発明の詳細な説明】
【技術分野】
【０００１】
この発明は、祈願用のカードと、該祈願用カードを支持して陳列するための支持具に関する。
【背景技術】
【０００２】
宗教においては、祈願する場合に蝋燭またはランプなどを灯して光源とすることがある。中国人の廟堂では仏像の前に蝋燭またはランプなどを供えて、神仏の庇護が得られるようにと祈る。欧米などにおいても、教会で燭台の蝋燭を灯すことで、祈願する者の神に対する、イエス・キリストに対する信仰が世の人々をあまねく照らすものとしている。同時に、蝋燭を灯すことは神の祝福を表わす。だが、近代に至り、ほとんどが商用電力をエネルギーとする照明装置に変更された。目下よく目にする照明装置は、小さく仕切られた複数のスペースを具え、該スペース内に電球を設けて光源とする。また、該スペースは外壁に光透過性の材質を用いた窓を設け、該窓に祈願する者の氏名を書き込むか、もしくは祈願する者の氏名を記入した紙片を貼り付ける。
【０００３】
しかしながら、上述の窓に祈願する者の氏名を書き込むか、もしくは祈願する者の氏名を記入した紙片を貼り付ける方式は、祈願する者の氏名を簡単に表示するという機能しかない。しかも、外観上は美観が得られない。また、一定の期間が経過すると、管理人によって消却処分される。
【０００４】
また、従来の照明装置を内設したスペースは、複数並ぶように仕切られ形成される。よって、使用できるスペースの数は、往々にして建築物の外壁面の面積、又は空間の制限を受ける。最も大きな問題は、好ましくない位置に在るスペースは、使用者の視認の効果に影響を与えるという点である。よって、照明装置における標示方式を如何に改善し、ディスプレー効果を高めるか、とういう点に関して改善する必要がある。
【発明の概要】
【発明が解決しようとする課題】
【０００５】
この発明は、外観上の美観と好ましいディスプレー効果を具える祈願用カード及び照明手段を具えたその支持具を提供することを課題とする。
【課題を解決するための手段】
【０００６】
そこで、本発明者は従来の方式に見られる欠点に鑑み鋭意研究を重ねた結果、少なくとも１以上の位置決め溝が形成され、かつ該位置決め溝内に第１連結部材が設けられたカード支持本体と、制御回路モジュールと、該制御モジュールに接続する複数のＬＥＤとを含んでなる照明ベース座と、及びカード本体と第２連結部材とによってなる祈願用カードと、を含んでなり、該第１連結部材と該第２連結部材とが、互いに吸引する磁石セットであって、該第１連結部材と該第２連結部材とを連結して位置決めする祈願用カード及びその支持具によって課題を解決できる点に着眼し、係る知見に基づいて本発明を完成させた。
【０００７】
以下この発明について説明する。
請求項１に記載する祈願用カード及びその支持具は、少なくとも１以上の位置決め溝が形成され、かつ該位置決め溝内に第１連結部材が設けられたカード支持本体と、制御回路モジュールと、該制御モジュールに接続する複数のＬＥＤとを含んでなる照明ベース座と、カード本体と第２連結部材とによってなる祈願用カードと、を含んでなり、該第１連結部材と該第２連結部材とが、互いに吸引する磁石セットであって、該第１連結部材と該第２連結部材とを連結して位置決めする。
【０００８】
請求項２に記載する祈願用カード及びその支持具は、請求項１における複数のＬＥＤが該位置決め溝内に設けられる。
【０００９】
請求項３に記載する祈願用カード及びその支持具は、請求項１における第２連結部材が、該カード本体の少なくとも一方の側に連結する。
【００１０】
請求項４に記載する祈願用カード及びその支持具は、請求項１における第２連結部材が、該カード本体に埋め込まれる。
【００１１】
請求項５に記載する祈願用カード及びその支持具は、請求項１における第１連結部材と第２連結部材との磁石セットが、永久磁石と強磁性を具えた金属との組み合わせである。
【００１２】
請求項６に記載する祈願用カード及びその支持具は、請求項１における第１連結部材と第２連結部材との磁石セットが、異なる磁性の二つの永久磁石の組み合わせである。
【図面の簡単な説明】
【００１３】
【図１】この発明による祈願用カード及びその支持具の構造を示した説明図である。
【図２】図１に開示する祈願用カード及びその支持具の構造を示した他の説明図である。
【図３】第２の実施の形態による祈願用カード及びその支持具の構造を示した説明図である。
【図４】図３に開示する祈願用カード及びその支持具における祈願用カードの連結構造を示した説明図である。
【図５】第３の実施の形態による祈願用カード及びその支持具の構造を示した説明図である。
【発明を実施するための形態】
【００１４】
この発明は、外観上の美観と好ましいディスプレー効果を具える祈願用カード及び照明手段を具えたその支持具を提供するものであって、少なくとも１以上の位置決め溝が形成され、かつ該位置決め溝内に第１連結部材が設けられたカード支持本体と、制御回路モジュールと、該制御モジュールに接続する複数のＬＥＤとを含んでなる照明ベース座と、及びカード本体と第２連結部材とによってなる祈願用カードと、を含んでなり、該第１連結部材と該第２連結部材とが、互いに吸引する磁石セットであり、該第１連結部材と該第２連結部材とを連結して位置決めする。
係る祈願用カード及びその支持具の構造と特徴を説明するために、具体的な実施例を挙げ、図面を参照にして以下に詳述する。
【実施例１】
【００１５】
図に開示するように、この発明による祈願用カード及びその支持具は、照明ベース座１０と複数の祈願用カード２０とによってなる。照明ベース座１０は、カード支持本体１１と、制御回路モジュール１４と、複数のＬＥＤ１５とを含んでなる、
【００１６】
カード支持本体１１には、少なくとも１以上の位置決め溝１２を形成し、かつ位置決め溝１２の底面には第１連結部材１３を設ける。ＬＥＤ１５は位置決め溝１２に近接した位置に設け、制御回路モジュール１４に接続することによって、継続的な発光作用による効果が得られる以外に、光線が変化するように、又は位置の支持機能が得られるように設定することができる。
【００１７】
祈願用カード２０はカード本体２１と、第２連結部材２２とによってなる。カード本体２１は、光透過性か、もしくは非光透過性のプラスチック材か、ガラスか、鉱石か、もしくは金属などの材質を選択してなり、さらに表面に加工して、祈願用の文字、又は図案を施す。
【００１８】
第２連結部材２２は第１連結部材１３に連結する。実施例においては枠体に形成しているが、但し、枠体に限定しない。第１連結部材１３と第２連結部材２２とは、互いに吸引する磁石セットであって、即ち、第１連結部材１３と第２連結部材２２とは、永久磁石と、該永久磁石に吸引される強磁性を具えた金属との組み合わせであるか、もしくは異なる磁性の二つの永久磁石の組み合わせである。よって、磁石の吸引力によって祈願用カードをカード支持本体１１に連結して位置決めすることができる。
【００１９】
図２に、上述する構造の好ましい実施形態を開示する。図面に開示するように、祈願用カード支持本体１１には、少なくとも１以上の祈願用カード２０を設置するための位置決め溝１２を少なくとも１以上形成する。また、位置決め溝１２に設置したそれぞれの祈願用カード２０の前の位置にはＬＥＤ１５を設け、ＬＥＤ１５の光線が祈願用カード２０を照射する。
【００２０】
祈願用カード２０は磁力で照明ベース座１０に連結し、位置決めされる。照明ベース座１０のデザインは変化させることができ、水平方向に延伸する方形のデザインに限らず、視覚上の効果を考慮して多くのデザインを施すことができる。
【実施例２】
【００２１】
図３、４に第２の実施の形態を開示する。第２の実施の形態は、磁石の吸引による連結構造は保留し、図面に開示するように、外周面へ縦方向に配列する方式を採用する。実施例１と異なる点は、ＬＥＤ１５を位置決め溝１２内に設ける点である。このため祈願用カード２０の第２連結部材２２はＬＥＤ１５の前を塞ぐことがない。祈願用カード２０を光透過性の材質で形成した場合、ＬＥＤ１５の光線はカード本体２１を通過して外部に照射され、実施例１とは異なる光と影の効果が得られる。
【実施例３】
【００２２】
図５に第３の実施例を開示する。図面に開示するように、カード支持本体１１は、外方向に延伸する複数の支持アーム１６を具え、支持アーム１６に位置決め溝１２を設け、かつ位置決め溝１２の底面に第１連結部材１３を設ける。祈願用カード２０に設ける第２連結部材２２はカード本体２１内に埋め込む。係る実施形態によれば、祈願用カード２０を多数同時に陳列することができるとともに、祈願用カード２０を下から上へ取り付ける方式は、この発明の特色を生じさせるものである。
【００２３】
上述する構造の実施形態から明らかなように、この発明によって支持する祈願用カードを増やすことは、同時に利用者の数を増やすことになる。また、従来の簡単な標示方式に取って代わるこの発明の方式によれば、使用者は祈願用カードを回収して引き続き利用することができるため、浪費を防ぐことができる。特筆すべきは、磁石による吸引を利用した連結方式は、照明ベース座のデザインを弾力的に変更することができ、さらには使用上空間を占めることなく、外観のデザインを変更することで、祈願用カード製品の選択性が広がる。
【符号の説明】
【００２４】
１０    照明ベース座
１１    カード支持本体
１２    位置決め溝
１３    第１連結部材
１４    制御回路モジュール
１５    ＬＥＤ
１６    支持アーム
２０    祈願用カード
２１    カード本体
２２    第２連結部材
【図１】
2018068429.tif 000003
【図２】
2018068429.tif 000004
【図３】
2018068429.tif 000005
【図４】
2018068429.tif 000006
【図５】
2018068429.tif 000007